(57)【特許請求の範囲】
【請求項１】
ポンプ室を形成するダイヤフラムを少なくとも一つ形成し、このダイヤフラム部と一体形成された全体として薄い円筒状をした弁体部を有する吐出弁を有するダイヤフラム本体と、前記ダイヤフラム部を収納するシリンダー部と、吸気孔および吸気弁と前記吐出弁を介して前記吐出口へ通ずる弁室部を有するバルブハウジングと、前記ダイヤフラム部を駆動しポンプ作用を行なわしめる駆動機構とを備えたポンプで、前記吐出弁に前記弁体部を前記弁室部に密接させるための押圧部材を設け、前記吐出弁が固定用突起部を有し、前記押圧部材が固定用爪を設けた固定穴と薄い金属板よりなるばね部とを有し、前記押圧部材の固定穴に前記固定用突起部を嵌合し固定するように前記ばね部にて前記弁体部を押圧するようにしたことを特徴とする小型ポンプ。
【請求項２】
前記弁体部に位置決め用リブを設け、前記押圧部材が複数のばね部を有し該ばね部が位置決め用リブの両側に位置するように構成したことを特徴とする請求項１の小型ポンプ。
【発明の詳細な説明】
【０００１】
【発明の属する技術分野】
本発明は、逆止弁およびダイヤフラムを用いた小型ポンプに関するものである。
【０００２】
【従来の技術】
図２乃至図４は、従来の小型ポンプの概要を示す図で、図２は全体の構成を示し、図３、４は夫々各部分の構成等を示している。これら図において１は小型直流モーター、２はモーター１の出力軸、３はモーター１に取り付けれられたケース、４は出力軸２に固定されたカラー、５はカラー４に傾けて固定してある駆動軸、６は筒状の支持部７を有する駆動体であって、支持部７に駆動軸５を挿入することにより取り付けられており、これらにより駆動機構を構成している。８はケース３の上部にこれと重ね合わせて固定された他のケース（シリンダー部）で、その平面図である図４に示すように複数の穴（シリンダー）９を有している。１０は柔かいゴムからなるダイヤフラム本体で、前記のケース８の穴９の位置に対応する個所に釣鐘状をしたダイヤフラム部１１を有する。このダイヤフラム本体１０のダイヤフラム部１１には駆動部１２が形成されていて、この駆動部１２の先端が駆動体６に固定されている。１３はダイヤフラム本体１０の中央より図にて上方に伸びている円筒状の弁体部１３ａを有している吐出弁、１５はその中央より図面で上方に伸びている弁室部１４を有する蓋体で、この蓋体１５は弁室部１４に吐出弁１３の弁体部１３ａを密着させてダイヤフラム１０を挟持してケース（シリンダー部）８に固定させている。尚図３はこの蓋体１５を図２において下方より見た裏面図である。１６は弁室部１４の先端に設けられた吐出口、１７は弁１８を有する吸気孔で、釣鐘状の各ダイヤフラム部１１に対応する位置に夫々設けられている。また図２に示すポンプにおいて、ダイヤフラム本体１０はダイヤフラム部１１によりポンプ室１９が形成され、このポンプ室１９と弁室１４ａとこれに通ずる吐出口１６とは溝２０により連通され、溝２０と弁室１４ａとの間には吐出弁１３の弁体１３ａが位置する。
【０００３】
上記のような小型ポンプは、小型直流モーター１の駆動によって出力軸２を介してカーラ４を回転させて駆動軸５にすりこぎ状の運動をさせ、この駆動軸５のすりこぎ状の運動により支持部７を介して、駆動部６が交互に上下動運動をする。つまり駆動機構の作動により図２に示すように駆動体６は右側が上昇している状態から、左側が上昇し右側が下降する状態へと、更に図２に示す状態へと順次変化する。これによって、ダイヤフラム本体１０の駆動部１２も上下動し、釣鐘状のダイヤフラム部１１の容積が変化する。
【０００４】
このようなダイヤフラム部１１の運動によって吸気孔１７を通して外部の空気を吸引し、通気溝２０および弁１３を通って弁室１４ａへ送り込まれ、吐出口１６より送り出しポンプとしての作用を行なう。つまり弁室部１４に密着されて通気溝２０を塞いでいる吐出弁１３は開かれ空気が吐出口へ流れる。
【０００５】
【発明が解決しようとする課題】
図２に示すように、従来のダイヤフラムを用いた小型ポンプは、各ポンプ室１９から排気口１６へ通ずる弁室部１４とポンプ室１９との境界部分に設けられる弁体部１３ａがポンプ室を構成するダイヤフラム部１１と一体にダイヤフラム本体１０を形成している。
【０００６】
このようなポンプは、前述のように駆動部１２の上下動によるダイヤフラム部１１の運動によって吸気孔を通して外部の空気を吸引し、通気溝２０および弁室１４ａへ送り込まれ、吐出口１６より送り出してポンプ作用を行なう。
【０００７】
このポンプ作用の際に、吐出弁１３の弁体部１３ａは開き、つまり弁室１４ａ側に倒れ、その後弁室部１４に密着して通気溝２０を塞ぐ。
【０００８】
弁体部１３ａはこの運動を繰り返し行なわれる。
【０００９】
弁体部１３ａはこのような作用の繰り返しにより、弁が内方に倒れた状態に変形することがある。つまり図５に示すように変形する。この場合、弁の開閉が完全に行なわれず、特に弁体部１３ａが通気溝２０を閉じた状態を保つことができなくなる欠点を有している。
【００１０】
ダイヤフラム輸送中に自重により弁体部１３ａの部分が変形する。このように弁が変形した状態でポンプを組み立てポンプを運転すると、流量等の性能が安定せず好ましくない。
【００１１】
本発明は、弁が変形しても正常な逆止弁の機能を有するようにした小型ポンプを提供するものである。
【００１２】
【課題を解決するための手段】
本発明のポンプ室を形成するダイヤフラムを少なくとも一つ形成し、このダイヤフラム部と一体形成された全体として薄い円筒状をした弁体部を有する吐出弁を有するダイヤフラム本体と、前記ダイヤフラム部を収納するシリンダー部と、吸気孔および吸気弁と前記吐出弁を介して前記吐出口へ通ずる弁室部を有するバルブハウジングと、前記ダイヤフラム部を駆動しポンプ作用を行なわしめる駆動機構とを備えたポンプで、前記吐出弁に前記弁体部を前記弁室部に密接させるための押圧部材を設けたことを特徴とする。
【００１３】
本発明の小型ポンプは、前記の通りの構成で、特に吐出弁に押圧部材を配置して弁体部を弁室部に密接させることによって、ポンプ作用やその他の原因による変形のため弁体部が弁室部より離れることを防止するようにしたものである。
【００１４】
又、本発明の小型ポンプは、前記吐出弁が固定用突起部を有し、前記押圧部材が固定用爪を設けた固定穴と薄い金属板よりなるばね部とを有し、前記押圧部材の固定穴に前記固定用突起部を嵌合し固定するように前記ばね部にて前記弁体部を押圧するようにしたことを特徴とするもので、これによって吐出弁への押圧部材の取り付けが簡単であり、取り付け後は位置ずれや抜け出ることがなく確実に固定されるようになる。
【００１５】
更に本発明の小型ポンプは、前記弁体部に位置決め用リブを設け、前記押圧部材が複数のばね部を有し該ばね部が位置決め用リブの両側に位置するように構成したことを特徴とするもので、これにより押圧部材の取り付けの際の位置決めが容易に行ない得るようになる。
【００１６】
【発明の実施の形態】
次に本発明の実施の形態を示す。
【００１７】
本発明の小型ポンプは、ポンプのうちの特に吐出弁の部分およびその周辺構造を特徴とするもので、したがって次に述べる実施の形態のポンプは、吐出弁およびその周辺部以外のポンプ室、シリンダー部、バルブハウジング、駆動機構等の構成は、図２に示すポンプと実質上同じであるので図示するのを省略した。
【００１８】
図１は本発明の要部を示す図で、吐出弁の部分を示す。
【００１９】
この図において、（Ａ）は吐出弁（Ｂ）は押圧部材の構造を示し、（Ｃ）は吐出弁に押圧部材を取り付けた状態を示す。
【００２０】
図１において、（Ａ）の吐出弁２１は、従来例である図２のポンプの吐出弁１３と実質上同じであるが、吐出弁２１の底面２１ａの部分に固定用突起２２が形成されている点で、図２に示す従来のポンプの吐出弁と相違する。
【００２１】
また、図１（Ｂ）の押圧部材３１は、固定用爪３３を設けてある取付穴３２ａを有するベース３２と、このベース３２の周辺部より伸びる薄い金属板よりなるばね部３４とよりなる。
【００２２】
この図１（Ａ）に示す吐出弁２１の内部に図１（Ｂ）に示す押圧部材３１を挿入しそのベース３２の取付穴３２ａを吐出弁２１の固定用突起２２に嵌合させ固定用爪３３にて抜け出ないように取りつける。このようにして吐出弁２１に押圧部材３１を取り付けた状態を図１（Ｃ）に示す。
【００２３】
このように押圧部材３１を嵌合固定した吐出弁２１の弁体部２３は、この押圧部材３１のばね部３４により外方ヘ押圧され、弁室部１４の内壁面に密接するようになる。
【００２４】
したがって弁体部２３が変形した場合でも弁体部２３はこの押圧部材３１のばね部３４により押圧され正常に弁として作用する。
【００２５】
またポンプ作用により、溝２０よりの空気により弁体部２１が内側への力を受けた場合、弁体部２３および押圧部材３１のばね部３４の押圧力に抗して弁が開かれ、空気は吐出口１６の方へ流れ、正常なポンプ作用が行なわれる。
【００２６】
また、ダイヤフラムを輸送する際に弁体部２１に変形が生じても、押圧部材３１のばね部３４の作用により、常に正常な状態を保ち、逆止弁として正常に働く。
【００２７】
また、図示する実施の形態においては、吐出弁２１の弁体部２３にリブ２３ａが設けられている。このリブ２３ａは押圧部材３１の位置決め用リブである。すなわち図示するように吐出弁２１の弁体部２３に例えばリブ２３ａを縦方向に長く設け、一方押圧部材３１に設けられた複数のばね部３４をリブ２３ａの横幅程度の間隔をおいて二つリブを一対としリブ２３ａの数に対応するばね部３４の対を形成することにより押圧部材を取り付ける際に、正しく位置決めされた状態にて取り付け固定される。
【００２８】
この位置決め用リブ設けることにより、押圧部材３１のばね部３４が、ポンプ作用を行なう際に空気の流れる部分（図２に示すポンプの溝２０の位置する部分）がばね部３４により弁体部２３が押圧されて弁室部１４の内壁面に密接し、弁が閉じている時に空気の流れを完全に阻止し、弁としての作用が正しく行なわれる。
【００２９】
このようなリブを弁体部に設ける場合、リブの形状は位置決め可能な形状であれば、どのような形状であってもよい。
【００３０】
しかし、図示するような形状にすれば、ポンプ作動時に弁の振動等による騒音の発生を防止する効果も有する。
【００３１】
尚図中２３ｂは弁体部に形成されたスリットで、このスリット２３ｂと隣のスリット２３ｂとの間が夫々弁としての作用を行なう。また図１（Ｂ）に示すようにばね部３４は図面上方に向けて夫々開く方向に向けられており、これにより吐出弁２１に押圧部材３１を取り付けた時に弁体部２３を押圧する力が十分得られるようにしている。
【００３２】
【発明の効果】
本発明のポンプは、吐出弁に押圧部材を取り付けることにより弁体部を弁室部に密接させるようにして弁体部に変形等が生じても常に良好な逆止弁としての作用を行ない得る。
【図面の簡単な説明】
【図１】  本発明の要部を示す図
【図２】  従来のダイヤフラムポンプの構成を示す図
【図３】  図２に示すポンプの蓋体の底面図
【図４】  図２に示すポンプのシリンダー部の平面図
【図５】  弁体部が変形した状態を示す図
【符号の説明】
２１      吐出弁
２２      固定用突出部
２３      弁体部
２３ａ    リブ
３１      押圧部材
３２      ベース
３３      固定用爪
３４      ばね部
【図１】
0003870357.tif 000002
【図２】
0003870357.tif 000003
【図３】
0003870357.tif 000004
【図４】
0003870357.tif 000005
【図５】
0003870357.tif 000006